(57)【特許請求の範囲】
【請求項１】
粒子状物質と、所定のターゲットに反応するプローブとを所定の割合で含む試料を基体上に供して、当該試料のスポットを複数個、基体上に形成する工程と、次いで、複数の上記スポットに含まれる上記粒子状物質の個数を計数する工程と、次いで、計数された上記粒子状物質の個数から、上記スポットに含まれる上記プローブの量を推定する工程と、を含むことを特徴とするプローブの固定量の推定方法を用いて２つ以上の上記スポットに含まれるプローブの固定量を推定し、異なるスポット間でのプローブの固定量の均一性を評価する工程と、次いで、
上記プローブの固定量が不足しているスポットに上記プローブを供して、異なるスポット間でのプローブの固定量を均一化する工程と、を含むことを特徴とするプローブが固定された基体の製造方法。
【請求項２】
上記プローブの固定量を均一化する工程は、上記プローブをエレクトロスプレーデポジション法により供することで行われることを特徴とする請求項１に記載の方法。
【請求項３】
粒子状物質と、所定のターゲットに反応するプローブとを所定の割合で含む試料を基体上に供して、当該試料のスポットを１ないしは複数個、基体上に形成する工程と、次いで、少なくとも１つの上記スポットに含まれる上記粒子状物質の個数を計数する工程と、次いで、計数された上記粒子状物質の個数から、上記スポットに含まれる上記プローブの量を推定する工程と、を含むことを特徴とするプローブの固定量の推定方法を用いて少なくとも１つの上記スポットに含まれるプローブの固定量を推定し、当該スポットに固定されるべきプローブの固定量の期待値との差を検出する工程と、
上記プローブが不足しているスポットに上記プローブを供して、上記期待値との差を解消する工程と、を含むことを特徴とするプローブが固定された基体の製造方法。
【請求項４】
上記期待値との差を解消する工程は、上記プローブをエレクトロスプレーデポジション法により供することで行われることを特徴とする請求項３に記載の方法。
【請求項５】
上記粒子状物質が蛍光ビーズであることを特徴とする請求項１から４の何れか一項に記載の方法。
【請求項６】
上記粒子状物質の粒径が１μｍ以上で３μｍ以下の範囲内であることを特徴とする請求項１から５の何れか一項に記載の方法。
【請求項７】
上記スポット夫々における上記粒子状物質の密度が３０個／１００μｍ２以下で、かつ、当該粒子状物質の含有数が１００個／スポット以上の条件を満たすことを特徴とする請求項１から６の何れか一項に記載の方法。
【請求項８】
上記プローブが、核酸配列、タンパク質、及びアフィニティータグ特異的リガンドからなる群より選択される少なくとも一種であることを特徴とする請求項１から７の何れか一項に記載の方法。
【請求項９】
上記スポットは、上記基体上に供された上記試料のパターンと、この試料のパターンに交差して設けられた流路との交点として、上記基体上に形成されていることを特徴とする請求項１から８の何れか一項に記載の方法。
【請求項１０】
上記試料が、上記粒子状物質と、所定のターゲットに反応する上記プローブとを所定の割合で含む液体であることを特徴とする請求項１から９の何れか一項に記載の方法。
【請求項１１】
粒子状物質と、所定のターゲットに反応するプローブとを所定の割合で含む１ないしは複数個のスポットが基体上に形成されたプローブ固定基体を製造する装置であって、
プローブ固定基体を撮像する撮像部と、
上記撮像部が取得した上記プローブ固定基体の画像を分析して、夫々の上記スポットに含まれる上記粒子状物質の個数を計数する粒子数測定部と、
上記粒子数測定部が計数した上記粒子状物質の個数から、夫々の上記スポットに含まれる上記プローブの量を推定するプローブ量推定部と、
上記プローブ量推定部が推定した夫々のスポットに含まれるプローブの固定量に基づきプローブ固定基体の品質を判定する品質判定部と、を備え、
上記撮像部で撮像されるプローブ固定基体を製造するスポット形成手段、及び、上記品質判定部で不良品と判定されたプローブ固定基体上のスポットを修正するスポット修正手段の少なくとも一方を備えることを特徴とする製造装置。
【発明の詳細な説明】
【技術分野】
【０００１】
本発明は、例えば核酸等のプローブの固定量の推定方法、及びその利用に関する。
【背景技術】
【０００２】
近年、数ｃｍ角のチップ上に、例えば１０数個〜数千ものＤＮＡ又はタンパク質を、直径数１００μｍほどの微小なスポット状に塗布したマイクロアレイが開発され、ゲノミクス研究、或いはプロテオーム解析に用いられている。
【０００３】
マイクロアレイにおいて、ＤＮＡ又はタンパク質をスポット状に塗布する方法には、例えば、光リソグラフィー、メカニカルスポッティング、インクジェット、及びマイクロコンタクトプリンティングなどがある。
【０００４】
ところで、測定結果の信頼性及び定量性を得る上では、ＤＮＡ又はタンパク質を含むスポットを再現性よく形成する必要がある。しかし、現状では、上記何れの方法を採用した場合でも、スポットを再現性良く作製することは技術的に困難を伴う。
【０００５】
スポットの再現性よい形成は上記の通り困難であるため、マイクロアレイでは、各スポットに含まれるＤＮＡ又はタンパク質の量の均一性を事前に評価することが、測定結果の信頼性及び定量性を得る上で重要となる。
【０００６】
各スポットに含まれるＤＮＡ又はタンパク質の量の均一性を評価する方法として、例えば、特許文献１及び非特許文献１には、ＤＮＡマイクロアレイにおいて、ＤＮＡをフルオレセイン等の蛍光色素で標識した後に、当該ＤＮＡをスポット状に塗布し、各スポットを蛍光値（蛍光量）により評価する方法が記載されている。
【０００７】
また、特許文献２には、チップ上で行われるＤＮＡの逐次合成において、品質管理用ＤＮＡの蛍光値を元に品質管理を行う方法が記載されている。
【０００８】
さらに、特許文献３には、あらゆる配列に相補的な配列からなる蛍光標識ＤＮＡをチップに結合させることで評価する方法が記載されている。
【先行技術文献】
【特許文献】
【０００９】
【特許文献１】特表２００５−５０１２３７（公表日：２００５年１月１３日）
【特許文献２】特表２００５−５３１３１５（公表日：２００５年１０月２０日）
【特許文献３】特開２００８−１４２０２０（公開日：２００８年６月２６日）
【非特許文献】
【００１０】
【非特許文献１】Ｎucleic. Acids. Res., 31, 頁ｅ６０（２００３年６月公開）
【発明の概要】
【発明が解決しようとする課題】
【００１１】
しかし、上記のような蛍光色素が発する蛍光値で評価等を行う従来の方法は何れも、正確な評価を行い難い場合があるという問題を有する。例えば、蛍光色素の蛍光値は、その乾燥状態及び濃度等により異なる（参考文献：第２版  機器分析のてびき  第１集、化学同人、ページ135-146、1996年）。よって、溶液状態（塗布前、又は塗付後間もなく）での蛍光色素の蛍光値と、乾燥し凝集したスポットでの蛍光色素の蛍光値とを単純に比較することができず、スポットあたりの微量のＤＮＡ又はタンパク質の絶対量を蛍光値の測定により正確に定量することは困難であった。
【００１２】
また、上記従来の方法は何れも、蛍光値の相対比較により、一バッチ内のスポット間の相対的な均一性をある程度の精度で評価できる可能性はある。しかし、上述の通り、スポットあたりのＤＮＡ又はタンパク質の絶対量を測定する方法ではないため、当該ＤＮＡ又はタンパク質の固定化方法が異なる場合、或いは蛍光値の測定条件が異なる場合等では比較が困難である。結果として、異なるバッチ間では、スポット間の相対的な均一性の評価すら出来ないという問題があった。
【００１３】
さらに、蛍光色素の退色は、蛍光値を低下させて測定の精度を低下させる原因となる。そのため、測定前のスポットを外光にさらさないよう、取り扱いには充分な注意を要するという問題があった。
【００１４】
さらに、ＤＮＡ又はタンパク質が固定化されるチップの基材は蛍光色素よりも高いバックグラウンド蛍光を示す場合がある。そのため、蛍光値の測定には、共焦点レーザー顕微鏡などのバックグラウンド蛍光を除くことができる高価な測定系を必要とするという問題もあった。
【００１５】
本願発明は、上記課題に鑑みてなされたものであり、例えば核酸又はタンパク質等からなるプローブのスポット内での固定量を推定する新規な方法を提供することを主たる目的とする。
【課題を解決するための手段】
【００１６】
上記の課題を解決するために、本願発明者らは鋭意検討を行った。その結果、スポット中に含まれるプローブ量の評価を、プローブと共存させた粒子状物質の量に基づき行うこと、及び、粒子状物質が発する連続量であるシグナル（例えば蛍光値）を測定するのではなく、離散的な指数であるその粒子数を測定することで、評価精度が向上することを見出し、本発明に至った。
【００１７】
すなわち、本発明にかかるプローブの固定量の推定方法は、粒子状物質と、所定のターゲットに反応するプローブとを所定の割合で含む試料を基体上に供して、当該試料のスポットを１ないしは複数個、基体上に形成する工程と、次いで、少なくとも１つの上記スポットに含まれる上記粒子状物質の個数を測定する工程と、次いで、測定された上記粒子状物質の個数から、上記スポットに含まれる上記プローブの量を推定する工程と、を含むことを特徴としている。
【００１８】
本発明にかかるプローブの固定量の推定方法では、上記粒子状物質が蛍光ビーズであることがより好ましい。蛍光ビーズを用いれば、塗布に伴って乾燥等してもその蛍光値は実質的に変化しない。さらに本発明では、蛍光ビーズの個数を検出するので、１）バックグラウンドよりも高い蛍光値があれば充分に検出可能である。２）また、共焦点レーザー顕微鏡等を使わなくとも、容易にバックグラウンドと分離できるため、蛍光値を測定する場合と比較して安価な測定装置で測定可能である。３）さらに、外光による蛍光の退色又は励起光の強度変化に対しても、測定結果は影響を受けにくいという利点もある。
【００１９】
本発明にかかるプローブの固定量の推定方法では、粒子数の計数が容易であるとの観点では、上記粒子状物質の粒径が１μｍ以上で３μｍ以下の範囲内であることが好ましい。
【００２０】
本発明にかかるプローブの固定量の推定方法では、推定の精度がより一層向上するという観点では、上記スポット夫々における粒子状物質の密度が３０個／１００μｍ２以下で、かつ、当該粒子状物質の含有数が１００個／スポット以上の条件を満たすことが好ましい。なお、粒子状物質の個数が測定されるスポットが１つのみである場合には、「スポット夫々」とは単一のスポットを指す。
【００２１】
本発明にかかるプローブの固定量の推定方法では、プローブが、核酸配列、タンパク質、及びアフィニティータグ特異的リガンドからなる群より選択される少なくとも一種であってもよい。
【００２２】
本発明にかかるプローブの固定量の推定方法では、上記スポットは、上記基体上に供された上記試料のパターンと、この試料のパターンに交差して設けられた流路との交点として、上記基体上に形成されているものであってもよい。例えば、マイクロ流体チップ（マイクロ流路チップ）の基板上に固定された上記試料の直線状パターンと、これと交差するマイクロ流路との交点等が、当該スポットに相当する。
【００２３】
本発明にかかるプローブの固定量の推定方法では、上記試料が、粒子状物質と、所定のターゲットに反応するプローブとを所定の割合で含む液体であることが好ましい。
【００２４】
本発明はまた、上記プローブの固定量の推定方法を用いて２つ以上の上記スポットに含まれるプローブの固定量を推定し、異なるスポット間でのプローブの固定量の均一性を評価する工程を含む、プローブが固定された基体の品質検査方法を提供する。
【００２５】
本発明はまた、上記プローブの固定量の推定方法を用いて２つ以上の上記スポットに含まれるプローブの固定量を推定し、異なるスポット間でのプローブの固定量の均一性を評価する工程と、次いで、上記プローブの固定量が不足しているスポットに上記プローブを供して、異なるスポット間でのプローブの固定量を均一化する工程と、を含む、プローブが固定された基体の製造方法（Ａ）を提供する。
【００２６】
また、上記製造方法（Ａ）において、上記プローブの固定量を均一化する工程は、上記プローブをエレクトロスプレーデポジション（ＥＳＤ）法により供することで行われることが好ましい。
【００２７】
本発明はまた、上記プローブの固定量の推定方法を用いて少なくとも１つの上記スポットに含まれるプローブの固定量を推定し、当該スポットに固定されるべきプローブの固定量の期待値との差を検出する工程と、上記プローブが不足しているスポットに上記プローブを供して、上記期待値との差を解消する工程と、を含む、プローブが固定された基体の製造方法（Ｂ）を提供する。
【００２８】
また、上記製造方法（Ｂ）において、上記期待値との差を解消する工程は、上記プローブをＥＳＤ法により供することで行われることが好ましい。
【００２９】
本発明はまた、粒子状物質と、所定のターゲットに反応するプローブとを所定の割合で含む１ないしは複数個のスポットが基体上に形成されてなるプローブ固定基体を提供する。
【００３０】
本発明はさらに、上記プローブ固定基体と、このプローブ固定基体に形成された夫々のスポットに含まれる粒子状物質の個数、及び、当該粒子状物質の個数から推定された夫々のスポットに含まれるプローブの量、の少なくとも一方を記録した記録媒体と、を含むキットを提供する。なお、当該キットにおいて、プローブ固定基体に形成されたスポットが１つの場合、「夫々のスポット」とは単一のスポットを指す。
【００３１】
本発明はまた、粒子状物質と、所定のターゲットに反応するプローブとを所定の割合で含む１ないしは複数個のスポットが基体上に形成されたプローブ固定基体に対して、上記何れかの推定方法を用いて少なくとも１つのスポットに含まれるプローブの固定量を推定する工程と、上記プローブ固定基体に対して、上記プローブと反応するターゲットを反応させてプローブに反応したターゲット量の値を取得する工程と、推定された上記プローブの固定量に基づき、取得されたターゲット量の上記値を補正する工程と、を含むターゲット反応量の補正方法を提供する。
【００３２】
本発明はまた、プローブ固定基体を撮像する撮像部と、上記撮像部が取得した上記プローブ固定基体の画像を分析して、夫々の上記スポットに含まれる上記粒子状物質の個数を測定する粒子数測定部と、上記粒子数測定部が測定した上記粒子状物質の個数から、夫々の上記スポットに含まれる上記プローブの量を推定するプローブ量推定部と、上記プローブ量推定部が推定した夫々のスポットに含まれるプローブの固定量に基づきプローブ固定基体の品質を判定する品質判定部と、を備える、プローブ固定基体を対象とする製造装置を提供する。なお、当該製造装置に関して、プローブ固定基体に形成されたスポットが１つの場合、「夫々のスポット」とは単一のスポットを指す。
【００３３】
本発明にかかる製造装置は、上記撮像部で撮像されるプローブ固定基体を製造するスポット形成手段、及び、上記品質判定部で不良品と判定されたプローブ固定基体上のスポットを修正するスポット修正手段の少なくとも一方を備えるものであってもよい。
【発明の効果】
【００３４】
本発明によれば、核酸又はタンパク質等からなるプローブのスポット内での固定量を精度よく推定することができる新規な方法等が提供されるという効果を奏する。
【図面の簡単な説明】
【００３５】
【図１】本発明に係る製造装置の概略構成を示す図である。
【図２】乾燥前後における蛍光色素（ローダミンＢ）と蛍光ビーズとの蛍光の状態を示す図である。
【図３】異なる蛍光ビーズ濃度における、蛍光ビーズの粒子数と蛍光値とを比較するグラフである。
【図４】蛍光ビーズ量と、スポットに含まれる蛍光ビーズの粒子数との関係を表すグラフである。
【図５】本発明の実施例の実験手順を示す図である。
【図６】本発明の実施例に関し、キャップチャー抗体量（プローブ量）と発光量との相関を示すグラフである。
【図７】本発明の実施例に関し、スポット当たりのキャップチャー抗体量に基づき測定値を補正した結果を示すグラフである。
【図８】本発明の実施例に関し、検出可能な蛍光ビーズの粒径の一例を示す図である。
【図９】蛍光ビーズの密度、及びスポット当たりの個数に関する検討結果の一例を示すグラフである。
【発明を実施するための形態】
【００３６】
〔実施の形態１〕
（１）  プローブの固定量の推定方法
本発明に係るプローブの固定量の推定方法は、粒子状物質と、所定のターゲットに反応するプローブとを所定の割合で含む試料を基体上に供して、当該液体のスポットを１ないしは複数個、基体上に形成する工程（工程Ａと称する）と、次いで、少なくとも１つの上記スポットに含まれる上記粒子状物質の個数を測定する工程（工程Ｂと称する）と、次いで、測定された上記粒子状物質の個数から、上記スポットに含まれる上記プローブの量を推定する工程（工程Ｃと称する）と、を含んでなる。
【００３７】
（プローブ及びターゲット）
本発明において、プローブとは、所定のターゲットに特異的に反応する物質を指す。プローブとして、具体的には例えば、ＤＮＡ又はＲＮＡ等の核酸配列；抗原、抗体、受容体タンパク質又はその断片、タンパク質性のリガンド又はその断片、糖鎖に特異的に結合するレクチン等、所定のターゲットと結合性のあるタンパク質；医薬品候補化合物等の生理活性化合物；アビジン、ストレプトアビジン、グルタチオン、Ｎｉ−ＮＴＡ、抗ＦＬＡＧタグ（登録商標）抗体、アミロース等のアフィニティータグ特異的リガンド；等が挙げられる。
【００３８】
上記核酸配列としては、例えば、ＤＮＡチップ、又はＲＮＡチップに固定される核酸プローブと同様のものを採用することができ、一本鎖であっても二本鎖であってもよく、必要に応じて配列内に人工塩基を含むものであってもよい。また、核酸配列は必要に応じて修飾されていてもよい。核酸配列の長さは特に限定されないが、例えば、２０塩基長以上で３００ｋ塩基長以下の範囲内のものが挙げられ、好ましくは２５塩基長以上で６０塩基長以下の範囲内のものが挙げられる。なお、核酸配列が一本鎖の場合には上記塩基長とはｍｅｒを意味し、二本鎖の場合には上記塩基長はｂｐを意味する。プローブが核酸配列の場合、ターゲットは、例えば、プローブに実質的に相補的な核酸配列、又はプローブに特異的に結合するタンパク質等である。
【００３９】
プローブとしての上記タンパク質は、例えば、プロテインチップに固定されるタンパク質、固定化抗体、固定化抗原、固定化酵素と同様のものを採用することができ、必要に応じてアミノ酸配列内に人工アミノ酸を含むものであってもよい。また、タンパク質は必要に応じて修飾されていてもよい。タンパク質を構成するアミノ酸配列の長さは特に限定されないが、例えば、当該タンパク質が断片である場合、３アミノ酸残基長以上で７０アミノ酸残基長以下の範囲内のものが挙げられ、好ましくは８アミノ酸残基長以上で２５アミノ酸残基長以下の範囲内のものが挙げられる。プローブが、抗原である場合にはターゲットは当該抗原に特異的に結合する抗体である。プローブが、抗体である場合にはターゲットは当該抗体により特異的に結合される抗原である。プローブが受容体タンパク質又はその断片である場合には、ターゲットは当該受容体タンパク質に特異的なリガンドである。プローブがタンパク質性のリガンド又はその断片である場合には、ターゲットは当該プローブを認識する受容体又はその断片である。
【００４０】
プローブとしての生理活性化合物は、例えば、化合物チップに固定される各種の低分子又は高分子化合物と同様のものを採用することができ、より具体的には医薬品候補化合物、農薬候補化合物、食品添加物、その他が挙げられる。プローブが生理活性化合物である場合には、ターゲットは、一般的には、酵素、受容体タンパク質その他の、プローブによりその活性が調節されるタンパク質である。
【００４１】
プローブがレクチンである場合は、ターゲットは糖鎖又は糖脂質、若しくはこれら糖鎖又は糖脂質を表面に有する細胞である。
【００４２】
プローブが、アビジン又はストレプトアビジンの何れか、グルタチオン、Ｎｉ−ＮＴＡ、抗ＦＬＡＧタグ（登録商標）抗体、アミロース等のアフィニティータグ特異的リガンドである場合は、ターゲットは、順に、ビオチン、グルタチオン−Ｓ−トランスフェラーゼ、ヒスチジンタグ（登録商標）、ＦＬＡＧ（登録商標）ペプチド、マルトース結合タンパク、等のアフィニティータグで特異的に標識された核酸、タンパク質、又はリガンドである。また、プローブがビオチン、グルタチオン−Ｓ−トランスフェラーゼ、ヒスチジンタグ（登録商標）、ＦＬＡＧ（登録商標）ペプチド、マルトース結合タンパク等のアフィニティータグ特異的リガンドの場合は、ターゲットは順に、アビジン又はストレプトアビジンの何れか、グルタチオン、Ｎｉ−ＮＴＡ、抗ＦＬＡＧタグ（登録商標）抗体、アミロース等のアフィニティータグで特異的に標識された核酸、タンパク質、又はリガンドである。
【００４３】
（粒子状物質）
本発明において粒子状物質とは、上記プローブとは異なる粒子状の物質を広く指し、具体的には例えば、非蛍光性の各種マイクロビーズ、及び蛍光粒子が挙げられる。蛍光観察による計数が可能という観点からは、例示の中では蛍光粒子がより好ましい。粒子状物質は、工程Ｂの説明にて詳述するように、その個数を計数可能なものである必要がある。また、粒子状物質は、上記プローブ及びターゲットに対する特異的な反応性を有しないことが好ましい。さらに、液体中に含まれる粒子状物質同士は、同一の規格により製造されたもの（すなわち実質的な同一物）であることが好ましい。粒子状物質は、１種類のみを用いてもよく、あるいは相互に識別し得る複数の種類を所定の割合で混合して同時に用いてもよい。複数種の粒子状物質を混合して用いる場合、これら粒子状物質同士は、例えば、粒径が互いに異なる、発する蛍光が互いに異なる、又は材質が互いに異なる等の点で相互に識別し得る。
【００４４】
相互に識別し得る複数の種類の粒子状物質を同時に用いる利点としては、例えば、１）後述する工程Ｂにて粒子状物質の個数を測定する際に、使用可能な測定機器の選択肢が広がる点（例えば、測定機器ａで測定可能な粒子状物質ａ、測定機器ｂで測定可能な粒子状物質ｂ、及び測定機器ｃで測定可能な粒子状物質ｃ、を混合して使用する。）、及び、２）プローブに対して、濃度の異なる複数種の粒子状物質（例えば、高濃度の粒子状物質Ａ、中濃度の粒子状物質Ｂ、及び低濃度の粒子状物質Ｃ）を混合しておき、基体に形成されたスポット中の粒子状物質Ａ、Ｂ、Ｃのそれぞれの個数を測定することで、単一の粒子状物質を用いた場合に比べ、プローブ量の測定範囲を広げることが出来る点、等が挙げられる。
【００４５】
粒子状物質の粒径（直径）は計数が可能な限り特に限定されないが、例えば、３０ｎｍ（０．０３μｍ）以上で１００μｍ以下の範囲内である。計数の容易さの観点からは、粒子状物質の粒径は、０．５μｍ以上であることが好ましく、１μｍ以上であることがより好ましい。
【００４６】
粒子状物質の粒径の好ましい範囲は、また、基体上に形成されるスポットの直径との関係で規定することもできる。基体上に形成されるスポットの直径が数十μｍ以上で数百μｍ以下の範囲内（すなわち、１０μｍ以上で１０００μｍ未満の範囲内）の場合には、当該スポットの直径の１／１００以上で１／１０以下の範囲内の粒径を有する粒子状物質を用いることが好ましく、この条件を満たす０．１μｍ以上で１０μｍ以下の範囲内の粒径を有する粒子状物質を用いることが好ましい。より好ましくは、１μｍ以上で３μｍ以下の範囲内の粒径を有する粒子状物質を用いることである。
【００４７】
また、粒子状物質は、例えばその表面に親水化処理等が施されることで、粒子状物質間で凝集し難いことがより好ましい。親水化処理として、具体的には例えば、粒子状物質の表面へのカルボキシル基、リン酸基、アミノ基、スルホン基、水酸基、又は親水性高分子等の導入処理が挙げられる。
【００４８】
粒子状物質としての上記蛍光粒子とは、励起光の照射により蛍光を発する粒子である。蛍光粒子として、具体的には例えば、蛍光標識ポリマー、蛍光ラテックス粒子、蛍光シリカ粒子、蛍光ポリスチレン粒子、蛍光ビーズ、又は量子ドット（例えば、カンタムドット社製Ｑdot（登録商標））等、を用いることができるが、中でも、蛍光色素を添加した合成高分子基材（ポリスチレン、ラテックス、及びアクリル樹脂等）を粒子状に成形してなる蛍光ビーズが、乾燥に伴う蛍光値の変化が比較的少なく好ましい。
【００４９】
蛍光ビーズに用いられる上記蛍光色素は、具体的には例えば、フルオロセイン、ローダミン、フィコビリン、アクリジン、クマリン、シアニン、Alexa Fluor（登録商標）（モレキュラープローブ）、Ｃｙ色素（登録商標）（ＧＥヘルスケア・ジャパン）、ルテニウム(II)錯体、又はランタノイド錯体など、様々なものを採用可能である。
【００５０】
また、粒子状物質としての上記非蛍光性の各種マイクロビーズとは、例えば、上記蛍光粒子を、蛍光色素を含まないように構成したものが挙げられ、より具体的には例えば、ラテックス粒子、シリカ粒子、ポリスチレン粒子等が挙げられる。非蛍光性の各種マイクロビーズは、例えば、可視光領域に主吸収を示す色素材料により着色されていてもよく、又は無色透明であってもよい。
【００５１】
また、粒子状物質は、例えば、磁性粒子等を内部に含むことにより磁性を帯びていてもよい。粒子状物質が磁性を帯びていれば、必要に応じて磁場を印加することで、プローブ固定基体から粒子状物質のみを容易に除去可能となる。
【００５２】
（工程Ａについて）
本発明において、工程Ａは、上記粒子状物質と上記プローブとを所定の割合で含む試料（組成物）を基体上に供して、当該試料のスポットを１ないしは複数個、基体上に形成する工程である。
【００５３】
上記粒子状物質と上記プローブとを所定の割合で含む試料は、例えば、液体状、ペースト状、又は固体状（例えば粉体状）等、その形態は特に限定されないが、粒子状物質とプローブとを均一に分散させることがより容易であるとの観点では、液体状であることが好ましい。なお、液体状の範疇には、粒子状物質とプローブとを含むゾル（ゲル化前の溶液）も含まれる。
【００５４】
また、上記試料がペースト状、又は固体状である場合、粒子状物質とプローブとを均一に分散させる方法の一例としては、プローブを含む溶液に粒子状物質を添加して均一に混合した後に、温度処理（加温又は冷却）或いは化学的処理などにより、この試料をペースト状、又は固形状にする方法などが挙げられる。
【００５５】
上記試料が、粒子状物質と上記プローブとを所定の割合で含む液体である場合、当該液体の調製において、粒子状物質とプローブと液体とを混合する順序、その他の条件は特に限定されない。具体的には例えば、１）上記プローブを所定の濃度で含んだ高濃度溶液を上記液体で希釈した後に、当該液体に上記粒子状物質を添加してもよく、又は、２）上記プローブを所定の濃度で含んだ高濃度溶液を、上記粒子状物質を所定の量含んだ上記液体で希釈してもよい。何れの場合でも、上記液体中に最終的に含まれるプローブの量と粒子状物質の量とが明らかになっていればよい。
【００５６】
工程Ａで用いる上記液体は、上記プローブ及び粒子状物質に対して反応性を示さないことが望まれ、具体的には例えば、水（純水）、生理的食塩水、リン酸緩衝液、トリス緩衝液等の各種緩衝液、メタノール、エタノール、プロパノール、などの有機溶媒等が好ましい。また上記液体中には、プローブ及び粒子状物質以外の試薬、例えば、プローブ又は粒子状物質を安定化するための、または検出反応を促進するための、塩化ナトリウム、エチレンジアミン四酢酸、プロテアーゼ阻害剤、グリシン、ベタイン、プロリン、グリセロール、トレハロース、シュークロース、及びポリエチレングリコール等から選択される試薬を添加してもよい。
【００５７】
上記液体の単位量中に含まれる粒子状物質の数は、当該粒子状物質の粒径及び種類等に応じて適宜設定すればよい。具体的には例えば、当該数の上限は、基体上に形成されるスポットの面積１００μｍ２当たり３００個以下の密度となるように設定され、当該スポットの面積１００μｍ２当たり３５個以下の密度となるように設定することが好ましく、より好ましくは３０個以下であり、さらに好ましくは２５個以下である。粒子状物質の数の上限を前記した範囲内に設定することにより、後述する工程Ｂにおいて異なる粒子状物質同士をより確実に識別し易くなるという利点がある。一方、粒子状物質の数の下限は特に限定されないものの、より精度の高い測定結果を得るという観点では、基体上に形成されるスポット１個当たり１００個以上であることが好ましい。
【００５８】
上記液体の単位量中に含まれるプローブの量は、当該プローブを基体上にスポッティングしてアレイ化し、検出する際の検出感度と反応条件とに準じて適宜設定すればよい。特に限定されないが、プローブがタンパク質の場合は１８μｇ／ｍＬ以上で８００μｇ／ｍＬ以下の範囲内が挙げられる。
【００５９】
測定の精度を向上させるために、上記粒子状物質とプローブとは液体中に出来うる限り均一に分散した状態とすることが好ましい。そのため、必要に応じて、粒子状物質とプローブとを含む液体を攪拌する等の操作を行ってもよい。
【００６０】
また、上記粒子状物質と上記プローブとを所定の割合で含む試料が液体である場合、後述する工程Ｂに供される際に、当該液体のスポットは乾燥していてもよい。
【００６１】
上記粒子状物質と上記プローブとを所定の割合で含む試料（好ましくは液体）が供される基体の種類は特に限定されず、具体的には例えば、ガラス基体、プラスチック基体、シリコン系基体（Ｓｉ基体、ＳｉＣ基体等）、及びニトロセルロース膜等の、ＤＮＡチップ、プロテインチップ及び化合物チップに使用される基体を採用することができる。基体の形状も特に限定されず、具体的には例えば、平板形状（すなわち基板）、又はマイクロ流体チップ形状、等が挙げられる。
【００６２】
上記試料（好ましくは液体）を基体に供する方法（すなわち、塗布の方法）は特に限定されず、具体的には例えば、メカニカルスポッティング法、インクジェットプリンティング法、マイクロコンタクトプリンティング法、ＥＳＤ法などが利用できるが、形成されるスポットの均一性および再現性に優れる観点からはＥＳＤ法が好ましい。なお、ＥＳＤ法を用いる場合には、基体側に、例えばＩＴＯ（インジウム錫酸化物）薄膜等の導電層を設ける。
【００６３】
なお、上記試料（好ましくは液体）のスポットは、１）上記試料を基体にスポット状に塗布することにより形成されてもよいし、又は、２）上記試料を所定のパターンで基体上に供し、この試料のパターンに交差して設けられた流路との交点をスポットとしてもよい。例えば、上記試料を複数本の平行な細線状のパターンとして基体上に供し、この試料のパターンに交差して設けられた複数の流路との交点それぞれをスポットとしてもよい。
【００６４】
工程Ａでは、上記試料のスポットが複数個、基体におけるスポット形成面上に形成される。形成されるスポットの形状（円形状、矩形状等）、大きさ（直径、面積等）、及び密度等は特に限定されないが、スポットが微小になるほどプローブの固定量の不均一性による影響を受け易いことから、スポットの面積は７．８５×１０−５ｍｍ２以上で７８．５ｍｍ２以下の範囲内であることが好ましく、０．０７ｍｍ２以上で０．３７５ｍｍ２以下の範囲内であることがより好ましい。また、基体上の単位面積辺りのスポット密度は、１個／ｃｍ２以上で１０６個／ｃｍ２以下の範囲内であることが好ましく、１個／ｃｍ２以上で２，０００個／ｃｍ２の範囲内であることがより好ましい。
【００６５】
（工程Ｂについて）
工程Ｂは、上記工程Ａの後段の工程として位置づけられ、工程Ａで形成された上記スポットの少なくとも１つ、好ましくは夫々のスポット、に含まれる上記粒子状物質の個数を測定する工程である。
【００６６】
粒子状物質が上記蛍光粒子の場合、蛍光粒子に励起光を照射して、蛍光粒子が発する蛍光を観察する。この観察には、例えば、個々の蛍光粒子を識別し得る光学分解能をもつ蛍光顕微鏡、又は蛍光スキャナを用いる。すなわち、工程Ｂでは、従来測定に用いられる連続量である蛍光値（蛍光量）を測定するのではなく、離散的な粒子数を測定することを特徴点の一つとする。
【００６７】
また、上記粒子状物質が非蛍光性の各種マイクロビーズの場合、粒子状物質の検出には、透過、位相差、微分干渉、偏光、又は暗視野などの各種顕微鏡による観察；蛍光以外の発光現象を利用した観察；等の、当該マイクロビーズの特性に応じた光学的検出方法を用いることができる。なお、上記蛍光粒子をこれら例示の方法により検出してもよい。
【００６８】
また、非蛍光性の各種マイクロビーズが色素材料（但し蛍光色素材料を除く）によって、基体（バックグラウンド）とは異なる色にて着色されている場合には、個々のマイクロビーズを識別し得る光学分解能をもつ光学顕微鏡を用いてスポットの画像を取得し、当該画像を画像分析してマイクロビーズの個数を計数すればよい。
【００６９】
なお、粒子状物質の計数は、目視で行ってもよいが、作業が簡便であるという観点では、スポットの画像を取得し、当該画像をソフトウェアによる画像分析によりスポット当たりのマイクロビーズの個数を計数する方法がより好ましい。画像分析に用いるソフトウェアとして、具体的には例えば、ＩｍａｇｅＪ（実施例参照）等が挙げられる。
【００７０】
（工程Ｃについて）
工程Ｃは、上記工程Ｂの後段の工程として位置づけられ、工程Ｂで測定された上記粒子状物質の個数から、上記スポットに含まれる上記プローブの量を推定する工程である。
【００７１】
工程Ａで説明した通り、液体中に含まれる粒子状物質の粒子数とプローブの量との割合は既知（所定の割合）であるため、工程Ｂにて計数した少なくとも１つのスポット、好ましくは夫々のスポットに含まれる粒子状物質の粒子数から、当該スポットに塗布されたプローブの量（絶対量）を求めることができる。
【００７２】
例えば、単位量当たり約１００個の粒子状物質と約１ｎｇのプローブとを含む液体を基体に塗布して複数のスポットを形成した場合、当該スポット中に５０個の粒子状物質が計数されるとスポット中に０．５ｎｇのプローブが固定されていると推定することができる。
【００７３】
或いは、工程Ｃでは、比較対象となるスポット間での、相対的なプローブの固定量（相対量）を求めるようにしてもよい。例えば、第一のスポット中に５０個の粒子状物質が計数され、第二のスポット中に７５個の粒子状物質が計数されたとすれば、第二のスポットには第一のスポットと比較して１．５倍（７５／５０）量のプローブが固定されていると推定することができる。
【００７４】
（２）  プローブ固定基体、及びキット
上記の工程Ａ〜工程Ｃを経ることで、蛍光ビーズ等の粒子状物質と、プローブとを所定の割合で含む１ないしは複数個のスポットが基体上に形成された本発明のプローブ固定基体が製造される。プローブ固定基体は、具体的には例えば、ＤＮＡチップ、又はＲＮＡチップ等の核酸チップ（核酸マイクロアレイ等）；プロテインチップ（タンパク質マイクロアレイ）；生理活性化合物が配された化合物チップ；レクチンチップ；アフィニティータグ特異的プローブチップ（アビジン、グルタチオン等）；核酸、タンパク質、生理活性化合物、レクチン、又はアフィニティー−タグ特異的プローブが配されたマイクロ流体チップ；等である。
【００７５】
また、本発明のキットは、１）上記プローブ固定基体と、２）プローブ固定基体に形成された夫々のスポットに含まれる粒子状物質の個数情報、及び、当該粒子状物質の個数から推定された夫々のスポットに含まれるプローブの量に係る情報、の少なくとも一方の情報を記録した記録媒体と、を備えてなる。
【００７６】
上記記録媒体の種類は特に限定されず、具体的には例えば、紙媒体、フロッピディスク、又はＣＤ−ＲＯＭ等が挙げられるが、好ましくはコンピュータ等の情報処理装置にて取り扱い可能な記録媒体である。記録媒体に記録された上記情報は、例えば、後述する「（６）ターゲット反応量の補正方法」を実行するために利用される。
【００７７】
また、本発明のキットは、プローブ固定基体から粒子状物質を除去するための、例えば、磁石、又は圧縮気体スプレー、等の粒子状物質除去手段を備えていてもよい。粒子状物質が磁性を帯びたものである場合には、磁石を用いて粒子状物質のみを取り除くことが可能である。また、例えば、プローブ固定基体を叩く等の方法にてプローブ固定基体に機械的振動を付与して、粒子状物質のみを取り除くことも可能である。或いは、圧縮気体スプレーを用いて、圧縮気体（圧縮空気等）で粒子状物質のみを吹き飛ばすことも可能である。
【００７８】
（３）  プローブ固定基体の品質検査方法、及び製造装置
本発明に係る基体の品質検査方法は、一つの上記プローブ固定基体が有する、異なるスポット間でのプローブの固定量の均一性を評価する工程を含む。すなわち、上記「（１）プローブの固定量の推定方法」を用いて、一つの上記プローブ固定基体が有する２つ以上のスポット中でのプローブの固定量を推定する。次いで、推定したプローブの固定量を用いて、これら異なるスポット間でのプローブの固定量の分散を測定する（すなわち均一性を評価する）。
【００７９】
次いで、上記分散が所定の範囲内であるか否かを判定し、所定の範囲内であれば良品、所定の範囲外であれば不良品と判定する工程をさらに備えることが好ましい。なお、良品及び不良品の判定基準は、例えばプローブ固定基体の用途等に応じて任意に設定すればよい。
【００８０】
また、本発明に係るプローブ固定基体の製造装置（品質検査装置を兼ねる）は、撮像部と、粒子数測定部と、プローブ量推定部と、品質判定部とを少なくとも備える。
【００８１】
撮像部は、上記粒子状物質と上記プローブとを所定の割合で含む１ないしは複数個のスポットが基体上に形成されたプローブ固定基体を撮像し、１ないしは複数個の上記スポットを画像化する。撮像部は、具体的には例えば、粒子状物質を観察可能な撮像機能付き各種顕微鏡装置（蛍光顕微鏡等）、又は粒子状物質の特性に応じたスキャナ（蛍光スキャナ等）等で構成される。
【００８２】
粒子数測定部は、上記撮像部が取得したプローブ固定基体の画像を分析して、夫々のスポットに含まれる粒子状物質の個数を測定する。粒子数測定部は、具体的には例えば、画像分析用の上記ソフトウェア（ＩｍａｇｅＪ等）がインストールされた情報処理装置等で構成される。
【００８３】
プローブ量推定部は、上記粒子数測定部が測定した粒子状物質の個数から、夫々の上記スポットに含まれるプローブの量を推定する。プローブ量推定部は、具体的には例えば、粒子数測定部と同じ情報処理装置等で構成される。すなわち、情報処理装置等に、プローブと粒子状物質との量的相関情報をインストール又はメモリに格納することにより、当該情報処理装置を用いて夫々のスポットに含まれるプローブの量（絶対量）を推定することができる。或いは、情報処理装置等を用いて、夫々のスポットに含まれる粒子状物質の個数を比較すれば、比較対象となるスポット間での相対的なプローブの固定量（相対量）を推定することができる。
【００８４】
品質判定部は、上記プローブ量推定部が推定した夫々のスポットに含まれるプローブの固定量に基づきプローブ固定基体の品質を判定する。品質判定部は、具体的には例えば、粒子数測定部と同じ情報処理装置等で構成される。良品及び不良品の判定基準は、例えばプローブ固定基体の用途等に応じて任意に設定すればよい。判定基準の一例としては、スポット間でのプローブ固定量の分散が所定の範囲内であるか否かを判定し、所定の範囲内であれば良品、所定の範囲外であれば不良品と判定する。
【００８５】
なお、撮像部及び粒子数測定部の動作説明は、上記「（１）プローブの固定量の推定方法」の工程Ｂの記載も参照することができる。プローブ量推定部の動作説明は、上記「（１）プローブの固定量の推定方法」の工程Ｃの記載も参照することができる。
【００８６】
本発明に係るプローブ固定基体の製造装置は、さらに、後述するスポット形成手段及びスポット修正手段の少なくとも一方、好ましくは双方を備えていてもよい。
【００８７】
上記スポット形成手段とは、上記プローブと粒子状物質とを所定の割合で含む試料を基体上に供して、当該試料のスポットを形成する手段である。上記スポット形成手段にて製造されたプローブ固定基体は、次いで、上記撮像部を用いた撮像に供される。なお、スポット形成手段の動作説明は、上記「（１）プローブの固定量の推定方法」の工程Ａの記載も参照することができる。
【００８８】
上記スポット修正手段とは、上記品質判定部で不良品と判定されたプローブ固定基体上のスポットを修正する手段である。すなわち、スポット修正手段は、プローブの固定量が不足しているスポットに、不足している分量のプローブを供することによって当該スポットにおけるプローブの固定量を修正する。スポット修正手段の動作説明は、後述する「（４）プローブ固定基体の製造方法又はスポットの修正方法（Ａ）」、及び「（５）プローブ固定基体の製造方法又はスポットの修正方法（Ｂ）」の記載も参照することができる。
【００８９】
上記スポット形成手段、及びスポット修正手段としては、メカニカルスポッティング法、インクジェットプリンティング法、マイクロコンタクトプリンティング法、及びＥＳＤ法等の方法により試料のパターン（スポット等）形成が可能なパターン形成装置を用いることができるが、中でもＥＳＤ装置がより好ましい。
【００９０】
以下、図１を用いて本発明の製造装置の一例について説明する。図１に概略構成を示すように、製造装置１０は、ロボットアーム（基体搬送部）２、顕微鏡装置（撮像部）５、基板保管用のスタッカー３、ＸＹステージ（基体観察用ステージ）４、選別後基板保管用のスタッカー６及びコンピュータ（制御装置・粒子数測定部・プローブ量推定部・品質判定部）１とを備える。
【００９１】
粒子状物質が蛍光粒子である場合、顕微鏡装置５は、個々の蛍光粒子を識別し得る光学分解能をもつ蛍光顕微鏡である。顕微鏡装置５はその一構成として白色光と励起光とを切り替え可能な光源装置８、及びＣＣＤカメラ（撮像手段：図示せず）を備える。
【００９２】
ロボットアーム２は、プローブ固定基板（プローブ固定基体）７を、基板保管用のスタッカー３からＸＹステージ４上へ搬送し、かつＸＹステージ４上から選別後基板保管用のスタッカー６へ搬送する。なお、基体搬送部としてロボットアーム２に代えてベルトコンベアを設けてもよいが、微細なスポット内の粒子状物質の数をより正確に測定する目的では、図１に示す製造装置１０の構成がより優れている。
【００９３】
ＸＹステージ４は、搭載されたプローブ固定基板７を水平二方向に移動させる。これにより、顕微鏡装置５を用いた基板７の全体観察を可能とする。プローブ固定基板７が比較的小型の場合、又は顕微鏡装置５に代えて蛍光スキャナを用いる場合には、ＸＹステージ４に代えて固定ステージを用いてもよい。
【００９４】
製造装置１０では、ロボットアーム２、顕微鏡装置５、基板保管用のスタッカー３、ＸＹステージ４、及び選別後基板保管用のスタッカー６はいずれも、その動作がコンピュータ１により自動制御されている。すなわち、製造装置１０を用いて、プローブ固定基体の品質検査を自動化することができる。
【００９５】
（４）  プローブ固定基体の製造方法又はスポットの修正方法（Ａ）
本発明に係るプローブ固定基体の製造方法又はスポットの修正方法の一例は、一つの上記プローブ固定基体が有する、異なるスポット間でのプローブの固定量の均一性を評価する工程と、プローブの固定量が不足しているスポットに当該プローブを供して、異なるスポット間でのプローブの固定量を均一化する工程と、を含む。
【００９６】
すなわち、本発明に係るプローブ固定基体の製造方法又はスポットの修正方法では、上記「（１）プローブの固定量の推定方法」を用いて、一つの上記プローブ固定基体が有する２つ以上の上記スポットに含まれるプローブの固定量を推定する（「プローブ固定量推定工程」）。次いで、推定したプローブの固定量を用いて、異なるスポット間でのプローブの固定量の均一性を評価する（「均一性評価工程」）。さらに、プローブの固定量が不足しているスポットに上記プローブを供して、異なるスポット間でのプローブの固定量を均一化する（「不均一性解消工程」）。
【００９７】
上記プローブ固定量推定工程では、夫々のスポット中でのプローブ固定量の推定情報と、基体上でのスポットの位置情報とがセットで取得される。これら情報が、均一性評価工程に供されることで、基体上の所定の位置にあるスポットが、他の位置にあるスポットと比較してどの程度プローブの固定量が多い／少ないかという不均一性情報が取得される。
【００９８】
不均一性解消工程では、例えば、基体上に形成されたスポットのうち、不均一性の許容範囲を越えてプローブの固定量が少ないものに対してのみプローブを再供給（追加）する。これにより、スポット間でのプローブの固定量の不均一性を、許容される範囲内とすることができる。
上記不均一性解消工程における、スポットへのプローブの供給は、具体的には例えば、メカニカルスポッティング法、インクジェットプリンティング法、マイクロコンタクトプリンティング法、ＥＳＤ法などが利用できるが、プローブを乾燥した粉体として塗布可能で、スポットを溶解することがないという観点ではＥＳＤ法が好ましい。
【００９９】
このように製造されたプローブ固定基体は、例えば生化学的検査等において、当該プローブと特異的に反応するターゲットを反応させる。夫々のスポットにおけるプローブの固定量が許容される不均一性の範囲内であることから、このプローブ固定基体を用いれば、正確な生化学的検査等の結果を得ることができる。
【０１００】
（５）  プローブ固定基体の製造方法又はスポットの修正方法（Ｂ）
本発明に係るプローブ固定基体の製造方法又はスポットの修正方法の他の例では、上記「（１）プローブの固定量の推定方法」を用いて、一つの上記プローブ固定基体が有する少なくとも１つの上記スポット中、好ましくは夫々のスポット中でのプローブの固定量を推定する（「プローブ固定量推定工程」）。次いで、当該スポットに固定されるべきプローブの固定量の期待値とプローブ固定量（上記推定値）との差を検出する（「差分取得工程」）。さらに、プローブの固定量が不足しているスポットにプローブを供して、上記期待値との差を解消する（「差分解消工程」）。
【０１０１】
上記プローブ固定量推定工程では、夫々のスポット中でのプローブ固定量の推定情報と、基体上でのスポットの位置情報とがセットで取得される。これら情報が、差分取得工程に供されることで、基体上の所定の位置にあるスポット毎に、プローブの固定量の期待値と比較してどの程度、プローブの固定量が多い／少ないかという差分情報が取得される。
【０１０２】
差分解消工程では、例えば、基体上に形成されたスポットのうち、プローブの固定量が期待値より少ないものに対してのみプローブを再供給（追加）する。これにより、各スポットのプローブの固定量を期待値に近づけることが可能となる。
【０１０３】
上記差分解消工程における、スポットへのプローブの供給は、具体的には例えば、メカニカルスポッティング法、インクジェットプリンティング法、マイクロコンタクトプリンティング法、ＥＳＤ法などが利用できるが、プローブを乾燥した粉体として塗布可能で、スポットを溶解することがないという観点ではＥＳＤ法が好ましい。
【０１０４】
このように製造されたプローブ固定基体は、例えば生化学的検査等において、当該プローブと特異的に反応するターゲットを反応させる。夫々のスポットにおけるプローブの固定量はほぼ期待値と同じであることから、このプローブ固定基体を用いれば、正確な生化学的検査等の結果を得ることができる。
【０１０５】
（６）  ターゲット反応量の補正方法
上記の項目（４）及び（５）では、プローブ固定基体上でプローブの追加を行うことで、夫々のスポットを修正する方法を説明した。しかし、以下に述べるように、プローブ固定基体に対してターゲットを反応させた後に、得られたデータを補正してもよい。
【０１０６】
すなわち、本発明に係るターゲット反応量の補正方法は、上記「（１）プローブの固定量の推定方法」を参照して、プローブ固定基体が有する少なくとも１つのスポットにおけるプローブの固定量を推定する。次いで、当該プローブ固定基体に対してターゲットを反応させて、プローブに反応したターゲット量の値をスポット毎に取得する。次いで、推定された上記プローブの固定量に基づき、取得されたターゲット量の上記値をスポット毎に補正する。
【０１０７】
ターゲット量の値を補正する工程では、例えば、スポット毎に、反応したターゲット量の値をプローブの固定量（推定量）で除し、これを補正後のターゲット反応量の値とする。この補正により、夫々のスポットにおけるターゲット反応量を、プローブの単位量ベースで比較することが出来るため、測定の精度がより一層向上する。
【０１０８】
上記ターゲット反応量の補正方法は、一つのプローブ固定基体内におけるスポット間での測定値の補正に適用可能で、さらには、複数のプローブ固定基体間での測定値の補正にも適用可能である。
【０１０９】
また、上記「項目（２）プローブ固定基体、及びキット」の欄で記載したキットが備える記録媒体が格納した情報は、上記したターゲット反応量の補正に用いることができる。
【実施例】
【０１１０】
以下、参考例、及び実施例により、本発明を具体的に説明する。
【０１１１】
〔参考例１：乾燥に伴う蛍光の変化〕
９６穴プレートの各ウェルに、７５μｇ／ｍＬのローダミンＢ（ワコー）の水溶液、０．２５重量％で蛍光ビーズ（蛍光イエローグリーン・カルボキシル基修飾ポリスチレン・ラテックスビーズ（平均粒径０．０３μｍ、水懸濁液）、シグマアルドリッチ社製）を含む水、又はブランク（水）を１μＬずつ滴下した後、オリンパス社製蛍光顕微鏡（BX51 WI）で蛍光観察を行った。次いで、そのまま放置し乾燥させた各々のスポットを再度蛍光観察した。その結果、図２に示すように、ローダミンＢは乾燥に伴う顕著な蛍光の減少が見られたが、蛍光ビーズは乾燥しても充分な蛍光が見られた。このためローダミンＢをプローブと混合して滴下した場合には、ローダミンＢの乾燥によって大幅に蛍光値が低下し、滴下されたプローブ量をその蛍光値に基づき正確に見積もることが難しいと考えられる。一方、蛍光ビーズを用いた場合、乾燥しても顕著な蛍光値の減少が見られずその計数が可能なことから、プローブ量の推定に用いることができることが判明した。
【０１１２】
〔参考例２：蛍光ビーズ濃度に対する、蛍光値と粒子数との比較〕
幅２５０μｍ、深さ１１５μｍの微細な流路（チャンネル）を１６本持つ、ポリジメチルシロキサン（ＰＤＭＳ）製のマイクロ流路を作製した。次いで、濃度が２５０ｎｇ／ｍＬから２５００μｇ／ｍＬとなるように水で１０倍ずつ５段階希釈した、蛍光ビーズ（蛍光オレンジ・カルボキシル基修飾ポリスチレン・ラテックスビーズ（平均粒径１μｍ、水懸濁液）、シグマアルドリッチ社製）を、マイクロ流体チップ用送液装置（フューエンス社製）を用いて、各濃度３チャンネルずつマイクロ流路に注入した。残りの１チャンネルにはブランクとして水を注入した。
【０１１３】
次いで、浜松ホトニクス社製冷却ＣＣＤカメラ(ORCAII)を接続した、倍率１倍のオリンパス社製蛍光顕微鏡(BX-51 WI)を用いて、このマイクロ流路の蛍光画像を撮影した。蛍光フィルターは、オメガオプティカル製蛍光フィルター(XF102―2)を用いた。
【０１１４】
撮影した蛍光画像は、ＩｍａｇｅＪ（参考文献：バイオフォトニクス  インターナショナル、１１巻, ページ３６−４２、２００４年）を用いて分析した。具体的には、蛍光画像に写りこんだマイクロ流路上において、幅２５０μｍ、長さ７５０μｍの範囲（容量約２２ｎＬ）のピクセル輝度の平均を求め、ブランクの数値を差し引くことで、蛍光ビーズの各濃度における蛍光値とした。
【０１１５】
また、蛍光顕微鏡の倍率を５倍に上げて同様に蛍光画像の撮影を行い、ＩｍａｇｅＪを用いて同様に幅２５０μｍ、長さ７５０μｍの範囲に存在する蛍光ビーズの粒子数を測定した。
【０１１６】
そして、蛍光値、粒子数とも、各濃度３チャンネルの平均値と標準偏差とを求めた。その結果、図３に示すように、蛍光値では２５０μｇ／ｍＬ（およそ１グリッドあたり５，５００ｐｇ）以上で検出が出来たのに対し、粒子数では２．５μｇ／ｍＬ（５５ｐｇ）以上で検出が出来、蛍光ビーズを用いる場合には粒子数による観察の方が約１００倍感度が高いことが示された。
【０１１７】
〔参考例３：蛍光ビーズ量と粒子数との相関〕
フューエンス社製エレクトロスプレー装置（ES-3200）を用い、縦２６ｍｍ、横７６ｍｍ、厚み１．１ｍｍのＩＴＯコートスライドガラス（ＩＴＯガラス：オプトンジャパン社製）上に、ＥＳＤ法を用いて、蛍光ビーズ（参考例２参照）を幅約７５０μｍで長さ１４ｍｍの細線パターン状に均一にスプレーした。この細線パターンは、夫々が１本あたり５ｎｇ、１０ｎｇ、２０ｎｇ、及び４０ｎｇの蛍光ビーズを含むように、４本形成された。
【０１１８】
次いで、この細線パターンと交差するように、ＰＤＭＳ製の上記マイクロ流路（参考例２参照）を設置し、各流路と細線パターンとの交点を１スポット（幅２５０μｍ、長さ７５０μｍ）として、その蛍光ビーズ数を測定した。１スポットあたりの蛍光ビーズ量は、約９０ｐｇ〜９００ｐｇである。細線パターン１本あたりに形成される１６個のスポットについて、蛍光ビーズの粒子数の平均と標準偏差とを同様に求め、図４に示した。
【０１１９】
その結果、蛍光ビーズ量とその粒子数との間に、R2=0.958の高い相関性が見られ、回帰直線より蛍光ビーズは１ｐｇあたり約１．３個と求められた。このため、１スポットあたりの粒子数から、エレクトロスプレーされた蛍光ビーズ量を求めることができ、結果として、蛍光ビーズと、塗布するＤＮＡやタンパク質などのサンプル（プローブ）との量比から、スポット上のサンプル（プローブ）量を求められることが示された。
【０１２０】
〔実施例１：蛍光ビーズによるスポット上のタンパク（プローブ）量の測定〕
純水に対して脱塩した、抗マウスインターロイキン２(ＩＬ-２)キャプチャー抗体（eBioscience）９０．４μｇ/ｍＬに、蛍光ビーズ（参考例２参照）を終濃度２９．０μｇ/ｍＬ（参考例３より約３．７７×１０４個/ｍＬ）になるように添加し、エレクトロスプレー装置（ES-3200）を用いて、ＩＴＯガラス上に、８６．３ｎＬ、１７３ｎＬ、３４５ｎＬ、６９０ｎＬ、１，３８０ｎＬずつ、幅約７５０μｍ、長さ１４ｍｍの細線パターン状に、均一にスプレーした。これにＰＤＭＳ製のマイクロ流路（参考例２参照）をセットして、マイクロ流体チップを作製した。
【０１２１】
オリンパス製蛍光フィルター(U-NIBA3)を用いて、オリンパス社製蛍光顕微鏡でマイクロ流体チップ上の各スポット（幅250μm、長さ750μm）中の粒子数を測定した後、図５に示すスキーム１に従い、ブロッキング後、順次、ＩＬ-２抗原（eBioscience）の注入、ビオチン標識抗マウスＩＬ-２検出抗体（eBioscience）の注入、アビジン-ＨＲＰ（eBioscience）の注入を行い抗原抗体反応を行った後、酵素化学発光法により反応したスポットを検出した。
【０１２２】
結果を図６に示す。スプレーサンプル（液体）中における、キャプチャー抗体（プローブ）と蛍光ビーズ（粒子状物質）との濃度比より、蛍光ビーズ１個あたりのキャプチャー抗体は約２．４０ｐｇであり、スポット上の蛍光ビーズ数から、当該スポットに塗布されたキャプチャー抗体量（蛍光ビーズ数×２．４０ｐｇ）を求めることができた。
【０１２３】
アーティファクトではない発光が観察された６０個のスポット夫々について、蛍光ビーズ数からキャプチャー抗体量を求めた。次いで、夫々のスポットについて、求めたキャプチャー抗体量と、酵素化学発光法による発光値との相関を調べると、図６に示すようにR2=0.5722の直線性が求められた。すなわち、塗布されたキャプチャー抗体量と、酵素化学発光法による発光値との間には、相関性が示された。
【０１２４】
このため、スポット上のキャプチャー抗体量を蛍光ビーズを用いて事前に検査し、一定量のキャプチャ抗体が固定化されているマイクロ流体チップを選別するか、足りないものはさらにキャプチャー抗体を追加することで、各スポット上のキャプチャー抗体量を一定にし、マイクロ流体チップの品質を向上することができる。
【０１２５】
さらに、図６に示す、キャプチャー抗体量と発光量との相関式より、測定された発光量を、スポットあたりのキャプチャー抗体量から求められる発光量の計算値で割って補正をすると、全体の均一性が変動係数（ＣＶ）２１％から１３％に改善された（図７参照）。このように、スポット上のプローブ量で測定値を補正することで、得られる測定値データの品質を改善することもできる。
【０１２６】
〔参考例４：蛍光ビーズの好適な粒径の検討〕
参考例２と同様の条件で、蛍光顕微鏡の倍率を５倍に設定し、平均粒径０．０３μｍ（蛍光イエローグリーン）、０．０５μｍ（蛍光オレンジ）、０．５μｍ（蛍光オレンジ）、及び１μｍの蛍光ビーズ（蛍光オレンジ）（いずれもカルボキシル基修飾ポリスチレン・ラテックスビーズ（水懸濁液）、シグマアルドリッチ社製）を励起光で５秒間露光した後に観察した。その結果、この実験条件下では、図８に示すように、個々の粒子としての形状まで観察可能な粒径の最小値は１μｍであった。そのため、参考例２の条件における、実用的な蛍光ビーズの粒径の下限は１μｍである。なお、作製するスポットの大きさ、蛍光ビーズの種類、及び観察の条件等を変更すれば、観察可能な蛍光ビーズの粒径は変わりうる。
【０１２７】
〔参考例５：ビーズの好適な密度／個数の検討〕
粒径１μｍから３μｍのビーズを用いて、ビーズ密度の上限値を調べた。平均粒径１μｍ（参考例２参照）（濃度２、４、８、１６、３１μｇ／ｍＬ）、及び２μｍ（蛍光オレンジ・カルボキシル基修飾ポリスチレン・ラテックスビーズ（水懸濁液）、シグマアルドリッチ社製）（濃度３１、６３、１２５、２５０、５００μｇ／ｍＬ）の二種類の蛍光ビーズを用い、参考例２と同様の条件で、顕微鏡の倍率を５倍にし、同様に蛍光画像の撮影を行い、ＩｍａｇｅＪを用いて同様に幅２５０μｍ、長さ７５０μｍの範囲に存在する蛍光ビーズの粒子数を調べた。粒径３μｍ（濃度３１、６３、１２５、２５０、５００μｇ／ｍＬ）の場合は、非蛍光性のラテックスビーズ（水懸濁液、シグマアルドリッチ社製）を用いて上方から白色光で照射し、ビーズによって散乱した光を検出した。
【０１２８】
結果を図９に示す。蛍光ビーズの粒径が１μｍ及び２μｍの場合には、スポット１００μｍ２当たりの粒子数が３０個以下であれば、蛍光ビーズの濃度と粒子数との関係に明確な相関が見られ好適であった。ビーズの粒径が３μｍで、かつ当該ビーズによる光の散乱を用いて観察をした場合には、スポット１００μｍ２当たりの粒子数が２４個以下であれば、ビーズの濃度と粒子数との関係に明確な相関が見られ好適であった。
【０１２９】
なお、測定の条件等を変更すれば、ビーズの濃度と粒子数との関係に明確な相関が見られる範囲は変わり得る。よって、スポット１００μｍ２当たりの粒子数が３０個を上回る場合でも本発明を適用しうる。
【０１３０】
以上、参考例及び実施例にて示すように、蛍光ビーズは蛍光色素が基材の内部に添加されており、塗布に伴って乾燥しても蛍光色素の周囲の環境は変わらないため、蛍光値は変わらない。しかし基材の分だけ、同じ量の蛍光色素に比べ蛍光値が下がるため、蛍光ビーズの蛍光値でスポット量を評価するのは実際的でなかった。そこで、蛍光ビーズの粒子数を測定したところ、粒子数の方が蛍光値よりも感度が高く、デポジット量評価に適していることが分った。また粒子として検出するので、バックグラウンドよりも高い蛍光値があれば検出可能で、かつ外光による蛍光の退色又は励起光の強度変化に対しても、測定結果は影響を受けにくい。また、共焦点レーザー顕微鏡を使わなくとも、容易にバックグラウンドと分離できるため、蛍光値を測定する場合と比較して安価な測定装置で測定可能である。
【産業上の利用可能性】
【０１３１】
本発明によれば、核酸又はタンパク質等からなるプローブのスポット内での固定量を精度よく推定することができる新規な方法等が提供される。
【符号の説明】
【０１３２】
１      コンピュータ（粒子数測定部・プローブ量推定部・品質判定部）
５      顕微鏡装置（撮像部）
１０    製造装置
【図１】
0005419012.tif 000002
【図３】
0005419012.tif 000003
【図４】
0005419012.tif 000004
【図５】
0005419012.tif 000005
【図６】
0005419012.tif 000006
【図７】
0005419012.tif 000007
【図９】
0005419012.tif 000008
【図２】
0005419012.tif 000009
【図８】
0005419012.tif 000010